(57)【特許請求の範囲】
【請求項１】
縦横に複数の壁面パネルを組み合わせて間仕切りを構成するようにしたものであって、縦方向に配列される壁面パネルは厚み方向への位置ずれを規制する縦ガイド部を介して積み上げられて傾倒しないように保持され、横方向に配列される壁面パネルは支柱を介することなく厚み方向への位置ずれを規制する横ガイド部を介して横連結されるものであり、左右の壁面パネル間を横連結するにあたり、壁面パネルの側縁に凹部を設け、壁面パネル同士を幅方向に近づけることにより所定位置で凹部の前後に位置する前壁同士及び後壁同士を厚み方向に重合させて横ガイド部たる凹凸係合部を構成するとともに、凹部内に弾性体を収容し、壁面パネル同士を幅方向に近づける際に各々の側縁に設けた弾性体を一時的に弾性変形させ、所定位置で復元させて弾性体同士を係合させることにより幅方向の位置決めをなすようにしていることを特徴とする可動間仕切。
【請求項２】
施工状態で壁面パネルを所定位置から幅方向へ変位させ得るようにしておき、これにより壁面パネルの左右何れか一方の側縁を隣接する壁面パネルの凹部内に更に押し込むことによって他方の側縁に隣接する壁面パネルとの間の凹凸係合を解除し、その状態で壁面パネルを平面視旋回させつつ一方の側縁に隣接する壁面パネルとの間の凹凸係合も解除して、左右の壁面パネル間から抜き取り得るように構成している請求項１記載の可動間仕切。
【請求項３】
床に置き敷いた幅木レールに最下段の壁面パネルを縦ガイド部たる凹凸係合部を介して載置し、下から上に向かって壁面パネル間を縦ガイド部たる凹凸係合部を介して積み上げる一方、最上段の壁面パネルを縦ガイド部たる凹凸係合部を介して天レールに係合させるようにしたものである請求項１又は２記載の可動間仕切。
【請求項４】
最上段の壁面パネルに上方に向けて圧縮バネで付勢されたロッドを配し、このロッドを天レールに貫通係合させている請求項３記載の可動間仕切。
【請求項５】
左右の壁面パネル間を横連結するにあたり、壁面パネルの側縁に凹部を設け、壁面パネル同士を幅方向に近づけることにより所定位置で凹部の前後に位置する前壁同士及び後壁同士を厚み方向に重合させて横ガイド部たる凹凸係合部を構成するとともに、所定位置で凹部間に隙間を形成し、この隙間に配置した連結具により上下の壁面パネル間を連結している請求項１〜４何れかに記載の可動間仕切。
【請求項６】
壁面パネルを平面視１８０°回転させることによって他側縁から一側縁に回り込む凹部が元の一側縁の凹部と合致する関係をなすように設定し、かつ凹部をパネル厚み方向に前後非対称に構成して、所定位置で隣接する凹部の前壁同士及び後壁同士を厚み方向に重合させ得るように構成している請求項１〜５何れかに記載の可動間仕切。
【請求項７】
床に仮固定具を介して下補助レールを接着し、この下補助レールに幅木レールをパネル厚み方向へ移動しないように凹凸係合させるようにしている請求項３又は４記載の可動間仕切。
【発明の詳細な説明】
【技術分野】
【０００１】
本発明は、建築構造物の内部空間を必要に応じて間仕切る際に利用される可動間仕切に関するものである。
【背景技術】
【０００２】
可動間仕切は、上下レール（上下枠）をそれぞれ床及び天井に配置し、これらのレール間にパネルを取り付けて構成されるのが通例である。従来では、床から天井まで届くパネルや支柱などの重厚長大な部品を用い、その組み立てに際しても天レールや幅木レールなどの部品を現場でカットしてアンカー固定する作業を行っており、高い納品スキルと納品時間が必要であった。
【０００３】
このような不具合を解消する上で参考になるものとして、例えば特許文献１に示されるように、天井と床にそれぞれ上枠及び下枠をアンカー固定し、これらの枠に対をなす意匠パネルをけんどん方式で挿入して、各意匠パネルの背面に設けたスペーサが意匠パネル間に所定の壁厚を形成することで、一体ものの重厚長大な壁面パネルや支柱の取り扱いを不要にしたものが見受けられる。
【０００４】
かかる意匠パネルの隣接する側縁同士は密着され、一方の意匠パネルの背面に設けたクリップ部材が隣接する他方の意匠パネルの内面に設けたスペーサの内面に弾接することで、パネル同士がパネル厚み方向に位置決めされるようになっている。
【特許文献１】特開２００５−９２６３号公報
【発明の開示】
【発明が解決しようとする課題】
【０００５】
しかしながら、かかる特許文献１記載のものにあっても、床から天井までの高さ寸法に対応する大型の意匠パネルを取り扱わなければならず、取扱いに不便である点で作業の困難性が十分に払拭されたものであるとは言い難い。また、可動間仕切であるがゆえに特定の意匠パネルを模様替えする等のレイアウト変更にも容易に対応できる必要があるところ、かかる特許文献１のものは端部側の意匠パネルから順次外していかなければ端部以外の部位に位置する意匠パネルを外せず、一部に仕様の異なる意匠パネルを導入する場合にも大型の意匠パネル単位で行なわなければならないため、レイアウト変更の自由度も低い。このため、より簡単な作業で施工できて意匠的なバリエーションも容易に豊富化でき、施工後にも一部の列のみを中抜きして入れ替えのできる自在性の高い可動間仕切の開発が望まれる。
【０００６】
また、アンカー固定やカット時に大音量や振動が発生し、他の階での作業に支障を来たす点、及び工事に長時間を要する点も、上記特許文献１を含めて従来からの問題点の一つであり、一般執務時間に短時間で工事を完了できる構造が希求されている。
【０００７】
本発明は、このような課題を有効に解決し得る可動間仕切を提供することを目的としている。
【課題を解決するための手段】
【０００８】
本発明は、かかる目的を達成するために、次のような手段を講じたものである。
【０００９】
すなわち、本発明の可動間仕切は、縦横に複数の壁面パネルを組み合わせて間仕切りを構成するようにしたものであって、縦方向に配列される壁面パネルは厚み方向への位置ずれを規制する縦ガイド部を介して積み上げられて傾倒しないように保持され、横方向に配列される壁面パネルは支柱を介することなく厚み方向への位置ずれを規制する横ガイド部を介して横連結されるものであり、左右の壁面パネル間を横連結するにあたり、壁面パネルの側縁に凹部を設け、壁面パネル同士を幅方向に近づけることにより所定位置で凹部の前後に位置する前壁同士及び後壁同士を厚み方向に重合させて横ガイド部たる凹凸係合部を構成するとともに、凹部内に弾性体を収容し、壁面パネル同士を幅方向に近づける際に各々の側縁に設けた弾性体を一時的に弾性変形させ、所定位置で復元させて弾性体同士を係合させることにより幅方向の位置決めをなすようにしていることを特徴とする。
【００１０】
このようにすれば、複数の壁面パネルが集合したものが従来の１枚ものの間仕切パネルに相当することになるため、個々の壁面パネルが軽量短小なものとなり、このような壁面パネルを支柱を用いることなく縦横にガイド部を介して増設していくことで、難しい作業を伴わずに作業を効率良く適切に行なうことが可能になる。しかも、短小な壁面パネル単位で仕様の異なるものを用いることができる点等において、設計自由度も高いものとなる。さらに、幅方向の位置決めを弾性体同士の係合によって行うことで、横方向に対して精度の高い強力な引き寄せを行なうことを不要にして、作業をより簡便なものにすることができる。
横方向に配列するための好ましい構造としては、左右の壁面パネル間を横連結するにあたり、壁面パネルの側縁に凹部を設け、壁面パネル同士を幅方向に近づけることにより所定位置で凹部の前後に位置する前壁同士及び後壁同士を厚み方向に重合させて横ガイド部たる凹凸係合部を構成するとともに、凹部内に弾性体を収容し、壁面パネル同士を幅方向に近づける際に各々の側縁に設けた弾性体を一時的に弾性変形させ、所定位置で復元させて弾性体同士を係合させることにより幅方向の位置決めをなすようにしているものが挙げられる。
【００１１】
縦方向に配列するための好ましい構造としては、床に置き敷いた幅木レールに最下段の壁面パネルを縦ガイド部たる凹凸係合部を介して載置し、下から上に向かって壁面パネル間を縦ガイド部たる凹凸係合部を介して積み上げる一方、最上段の壁面パネルを縦ガイド部たる凹凸係合部を介して天レールに係合させるようにしているものが挙げられる。
【００１２】
この場合、施工状態に確実性を期すためには、最上段の壁面パネルに上方に向けて圧縮バネで付勢されたロッドを配し、このロッドを天レールに貫通係合させていることが好ましい。
【００１３】
或いは、左右の壁面パネル間を横連結するにあたり、壁面パネルの側縁に凹部を設け、壁面パネル同士を幅方向に近づけることにより所定位置で凹部の前後に位置する前壁同士及び後壁同士を厚み方向に重合させて横ガイド部たる凹凸係合部を構成するとともに、所定位置で凹部間に隙間を形成し、この隙間に配置した連結具により上下の壁面パネル間を連結しているものが挙げられる。
【００１６】
作業の円滑性を確保するためには、壁面パネルを平面視１８０°回転させることによって他側縁から一側縁に回り込む凹部が元の一側縁の凹部と合致する関係をなすように設定し、かつ凹部をパネル厚み方向に前後非対称に構成して、所定位置で隣接する凹部の前壁同士及び後壁同士を厚み方向に重合させ得るように構成しておくことが有効となる。
【００１７】
大音量や振動の発生要因を取り除き、作業の効率化も図るためには、床に仮固定具を介して下補助レールを接着し、この下補助レールに幅木レールをパネル厚み方向へ移動しないように凹凸係合させる構造が好適である。
【発明の効果】
【００２０】
本発明は、以上説明した構成であるから、大型の意匠パネルを取り扱う場合のような不便さがなく、軽量短小な壁面パネルを簡単な作業を通じて積み上げるだけで間仕切を短時間で確実に施工でき、高度な熟練を不要にするとともに、意匠的なバリエーション等も容易に追求できるようにした優れた間仕切を提供することが可能となる。
【発明を実施するための最良の形態】
【００２１】
以下、本発明の一実施形態を、図面を参照して説明する。
【００２２】
この可動間仕切は、テナントビル等の建築構造物に適用されるもので、図１に示すように、下部壁面パネルＡ及び上部壁面パネルＢを縦横に組み合わせて床Ｆと天井Ｃの間を間仕切るものである。
【００２３】
具体的に説明すると、図５（ａ）に示すように、両壁面パネルＡ、Ｂは何れも、ロックウール等の人造鉱物繊維からなるコア材１１の周囲を剛性のあるスチール等の素材からなる面材１２で覆った構成からなるもので、軽量にして一定の強度を備える。左右の側縁には、図１及び図４に示すごとく平面視点対称をなすような前後一対の壁１３、１４の間に凹部１５が形成されており、壁面パネル同士を図４（ａ）→（ｂ）のように幅方向に近づけると、凹部１５の前後に位置する前壁１３、１４同士及び後壁１４、１３同士が厚み方向に重合して横ガイド部たる凹凸係合部Ｘ１を構成するようにしている。
【００２４】
そして、その凹部１５内に、金属板をコ字形に折り曲げて構成した弾性体１６を収容している。この弾性体１６は、一方の壁面パネルＡ（Ｂ）の凹部１５の略中央から他方の壁面パネルＡ（Ｂ）の凹部１５に向かって延びその立面に外向き山形の係合凸部を形成した可動舌片１６ａと、相手方の壁面パネル側でその舌片を受け入れる位置にあってその立面の内向きに谷形の係合凹部を形成した受け部１６ｂとを有している。そして、壁面パネルＡ、Ａ同士（Ｂ、Ｂ同士）を幅方向に近づけると、各々の側縁に設けた弾性体１６の可動舌片１６ａを一時的に弾性変形させ、所定位置で復元させることにより相手方の弾性体１６の受け部１６ｂに係合させて、幅方向の位置決めをなすようにしている。この所定位置で、前記凹部１５、１５間には図６等に示すごとく隙間Ｓが形成されるようにしてある。
【００２５】
そして、この隙間Ｓに上下の壁面パネルＡ、Ｂ間を連結する連結具２を配するようにしている。この連結具２は、図７に示すように、上下の壁面パネルＡ、Ｂ間に亘って凹部１５内に配置される連結板２１と、この連結板２１を上下の壁面パネルＡ、Ｂにそれぞれ固定する固定具たるねじ２２と、前記連結板２１に付帯して設けらればね反力で上部壁面パネルＢの凹部１５に設けた係合孔（図示省略）に係合する係合爪２３とからなっている。
【００２６】
また、上下関係に言及すると、図１、図３、図５及び図７等に示すように、下部壁面パネルＡの下縁及び上縁にそれぞれ断面下向きコ字形の凹溝３１及び上向き台形状の溝３２が設けられ、上部壁面パネルＢの下縁に前記台形の斜辺に沿う形状の突起４１が、また上縁近傍の側縁に圧縮バネ４２（図７参照）により上方に付勢されたロッド４３が仕込んである。
【００２７】
そして、本実施形態は、図１〜図３に示すように床Ｆに下補助レール５を介し幅木レール６を取り付けて下部壁面パネルＡを係合させ、図５に示すように天井Ｃに上補助レール７を介し天レール８を取り付けて上部壁面パネルＢを係合させるようにしている。
【００２８】
幅木レール６は、図１及び図２に示すように、アルミ押出材等からなる角パイプ状のもので、下端側に長手方向に沿って溝６１を有し、上端側を前記下部壁面パネルＡの溝３１と係合可能な係合部６２としている。一方、下補助レール５は、面ファスナや両面テープ等の仮固定具５ａを介して床Ｆに接着されるもので、アルミ押出材等からなる上向き概略コ字形をなしている。そして、この下補助レール５に図２（ａ）→（ｂ）に示すように幅木レール６の溝６１を嵌め込んで凹凸係合させ、この幅木レール６の上に図３（ａ）→（ｂ）のように下部壁面パネルＡを載置すると、幅木レール６の係合部６２に下部壁面パネルＡの溝３１が嵌り込んで本発明の縦ガイド部たる凹凸係合部Ｘ２が形成されるようにしている。前記幅木レール６は、長手方向の適宜部位に配したアジャスタ６３によって係合部６２の高さ位置が幅木レール本体６０に対して可変とされている。
【００２９】
また天レール８は、図５に示すように、アルミ押出材からなる下向きチャネル状のもので、側壁８１、８１間に形成される下向きに開放された溝８２の内法寸法が上部壁面パネルＢの上端に設定した係合部４２の厚み寸法よりも僅かに大きく設定してあり、上面に長手方向に沿って溝８３を有している。一方、上補助レール７は、固定具であるねじ７ａを介して天井Ｃにアンカー固定されるもので、アルミ押出材等からなる下向きコ字形をなしている。そして、上部壁面パネルＢの係合部４２と天レール８の溝８３とがなす本発明の縦ガイド部たる凹凸係合部Ｘ４の呑み込み量が、上部壁面パネルＢの突起４１と下部壁面パネルＡの溝３２とのなす本発明の縦ガイド部たる凹凸係合部Ｘ３の呑み込み量よりも大きく設定してある。そして、図５（ａ）に示すようにこの上補助レール７に天レール８の溝８３をはめ込んで凹凸係合させ、その際に上部壁面パネルＢをけんどん方式で天レール８と下部壁面パネルＡとの間に取り付けることによって、同図（ｂ）に示すように壁面パネルＡ、Ｂ間に凹凸係合部Ｘ３を、また上部壁面パネルＢと天レール８との間に凹凸係合部Ｘ４をそれぞれ形成するようにしている。圧縮バネ４２で圧縮されたロッド４３は天レール８の溝８３の底部に予め設けた孔８３ａに貫通係合される。
【００３０】
なお、幅木レール６及び天レール７は、各壁面パネルＡ、Ｂごとに割り付けられている。また、上下の補助レール５、７は、金切ばさみ等の手動剪断具に操作力を加えて切断し得る範囲で剛性を有する素材からなり、長尺なものを現場で所要長さに切断して用いるようにしている。
【００３１】
本実施形態は、このような壁面パネルＡ、Ｂの縦方向への凹凸係合の際に、幅方向に隣接する既設の壁面パネルＡ、Ｂへの横方向の凹凸係合を並行して行なうようにしている。
【００３２】
すなわち、縦方向に配列された図１に破線で示す既設の壁面パネルＡに対し、その隣接位置において下部壁面パネルＡの下縁及び側縁をそれぞれ幅木レール６及び既設の下部壁面パネルＡの側縁にそれぞれ縦横に凹凸係合させる（図３及び図４参照）。次に、縦方向に配列された図１に破線で示す既設の壁面パネルＢに対し、その隣接位置において上部壁面パネルＢの下縁及び側縁をそれぞれ下部壁面パネルＡ及び既設の上部壁面パネルＢの側縁にそれぞれ縦横に凹凸係合させる（図４及び図５参照）。このとき、上部壁面パネルＢの上縁及び下縁をけんどん方式で天レール８及び下部壁面パネルＡの上縁に凹凸係合させ、それに伴い、圧縮バネ４２で圧縮されたロッド４３を天レール８の溝８３の底部に予め設けた孔８３ａに貫通係合させる。そして、両壁面パネルＡ、Ｂにおいて凹部１５、１５間の隙間Ｓとなる部位に連結具２を配し、この連結具２により、下部壁面パネルＡと上部壁面パネルＢの間を連結する（図７参照）。このようにして、既設の壁面パネルＡ、Ｂの隣接位置に縦方向に壁面パネルＡ、Ｂの配列を行ない、以上の作業を幅方向に必要なユニット分だけ繰り返して、可動間仕切全体の施工を完了することができる。
【００３３】
なお、このようにしてなる可動間仕切は、施工状態で隣接する壁面パネルＡ、Ａ間（Ｂ、Ｂ間）に目地が形成され、この目地が詰まる位置まで図８（ａ）→（ｂ）に示すように壁面パネルＡ（Ｂ）を所定位置から幅方向へ変位させることが可能であるが、これにより壁面パネルＡ（Ｂ）の一方の側縁（図では左側の側縁）を隣接する壁面パネルＡ（Ｂ）の凹部１５内に更に押し込むことによって他方の側縁（図では右側の側縁）に隣接する壁面パネルＡ（Ｂ）との間の凹凸係合を解除し得るようにしている。そして、その状態で壁面パネルＡ（Ｂ）を同図（ｃ）に示すように平面視旋回させつつ一方の側縁に隣接する壁面パネルＡ（Ｂ）との間の凹凸係合も解除して、左右の壁面パネルＡ、Ａ間（Ｂ、Ｂ間）から中央の壁面パネルＡ（Ｂ）を中抜きし得るようにしている。
【００３４】
以上のように、本実施形態の可動間仕切は、縦横に複数の壁面パネルＡ、Ｂを組み合わせて床Ｆと天井Ｃの間を間仕切るにあたり、縦方向に配列される壁面パネルＡ、Ｂは厚み方向への位置ずれを規制する縦ガイド部たる凹凸係合部Ｘ３を介して積み上げられて床Ｆと天井Ｃの間に傾倒しないように保持され、横方向に配列される壁面パネルＡ、Ａ（Ｂ、Ｂ）は支柱を介することなく厚み方向への位置ずれを規制する横ガイド部たる凹凸係合部Ｘ２を介して横連結されるものである。
【００３５】
このようにして、壁面パネルＡ、Ｂが集合したものが従来の１枚ものの間仕切パネルに相当することになるため、個々の壁面パネルＡ、Ｂが軽量短小なものとなり、このような壁面パネルＡ、Ｂを支柱を用いることなく縦横にガイド部を介して増設していくことで、難しい作業を伴わずに作業を効率良く適切に行なうことが可能になる。また、間仕切がこのような壁面パネルＡ、Ｂを縦横に組み合わせて構成されるものであると、各壁面パネルＡ、Ｂの仕様を統一することができるのは勿論のこと、例えば上部壁面パネルＢを透光性のものにしたり模様、色彩等の異なるものを用いるなどして欄間パネルとして機能させること等もできるので、設計自由度が高く、可動間仕切のバリエーションも無理なく容易に多様化することが可能となる。
【００３６】
縦方向の配列の具体的な構造としては、床Ｆに置き敷いた幅木レール６に下部壁面パネルＡを縦ガイド部たる凹凸係合部Ｘ１を介して載置し、下から上に向かって壁面パネルＡ、Ｂ間を縦ガイド部たる凹凸係合部Ｘ３を介して積み上げる一方、上部壁面パネルＢを縦ガイド部たる凹凸係合部Ｘ４を介して天レール８に係合させるようにしたものであり、その際に上部壁面パネルＢと天レール８とのなす凹凸係合部Ｘ４の呑み込み量を壁面パネルＡ、Ｂ間の凹凸係合部Ｘ３の呑み込み量よりも大きく設定して、上部壁面パネルＢをけんどん方式で天レール８と下部壁面パネルＡとの間に取り付け得るようにしている。
【００３７】
このため、単純な作業で壁面パネルＡ、Ｂを縦方向に凹凸係合させながら面一度を保って積み上げていくことができ、かつ、下部壁面パネルＡから上部壁面パネルＢまでを幅木レール６と天レール８の間に適切に嵌め込んだ状態を容易かつ適切に実現することが可能となる。
【００３８】
特に、上部壁面パネルＢに上方に向けて圧縮バネ４２で付勢されたロッド４３を配し、このロッド４３を天レール８に貫通係合させているので、このようなセーフティーロック機能によって間仕切の敷設状態に確実性を期することが可能となる。
【００３９】
また本実施形態は、左右の壁面パネルＡ、Ａ間（Ｂ、Ｂ間）を横連結するにあたり、壁面パネルＡ（Ｂ）の側縁に凹部１５を設け、壁面パネルＡ、Ａ同士（Ｂ、Ｂ同士）を幅方向に近づけることにより所定位置で凹部１５の前後に位置する前壁１３、１４同士及び後壁１４、１３同士を厚み方向に重合させて横ガイド部たる凹凸係合部Ｘ２を構成するようにしたものであるが、その際に所定位置で凹部１５、１５間に隙間Ｓを形成し、この隙間Ｓに配置した連結具２により上下の壁面パネルＡ、Ｂ間を連結するようにしている。このため、単純な作業で壁面パネルＡ、Ａ（Ｂ、Ｂ）を横方向に凹凸係合させて厚み方向の面一度を確保することができ、かつ、周囲と干渉せず見栄えも損なわない位置（凹部１５、１５間）に連結具２を配して上下の壁面パネルＡ、Ｂを確実に連結して強度を高めることが可能となる。
【００４０】
加えて、凹部１５の前後に位置する前壁１３、１４同士及び後壁１４、１３同士を厚み方向に重合させて横ガイド部たる凹凸係合部Ｘ２を構成するという上記の構造の下で、前記凹部１５内に弾性体１６を収容し、壁面パネルＡ、Ａ同士（Ｂ、Ｂ同士）を幅方向に近づける際に各々の側縁に設けた弾性体１６を一時的に弾性変形させ、所定位置で復元させて弾性体１６、１６同士を係合させることにより幅方向の位置決めをなすようにしている。このように、幅方向の位置決めを弾性体１６、１６同士の係合によって行うことで、横方向に対して精度の高い強力な引き寄せを行なうことを不要にして、作業をより簡便なものにすることができる。
【００４１】
さらに、このような弾性体１６によって壁面パネルＡ（Ｂ）の幅方向の位置決めをなす構造に基づいて、施工状態で壁面パネルＡ（Ｂ）を所定位置から幅方向へ変位させ得るように構成し、これにより壁面パネルＡ（Ｂ）の左右何れか一方の側縁を隣接する壁面パネルＡ（Ｂ）の凹部１５内に更に押し込むことによって他方の側縁に隣接する壁面パネルＡ（Ｂ）との間の凹凸係合を解除し、その状態で壁面パネルＡ（Ｂ）を平面視旋回させつつ一方の側縁に隣接する壁面パネルＡ（Ｂ）との間の凹凸係合も解除して、左右の壁面パネルＡ、Ａ間（Ｂ、Ｂ間）から抜き取り得ることができるようにしている。このため、多数の壁面パネルＡ、Ｂが横方向に連結されている状態から、端部以外の部位に位置する壁面パネルＡ、Ｂのみの取替え等を有効に行うことが可能となる。
【００４２】
また、壁面パネルＡ、Ｂは既述したように平面視において点対称構造をなすものであり、１８０°回転させることによって他側縁から一側縁に回り込む凹部１５が元の一側縁の凹部１５の形状と合致する関係をなすと同時に、凹部１５の前後の壁１３，１４をパネル厚み方向に非対称に構成して、所定位置で隣接する凹部１５の前壁１３、１４同士及び後壁１４、１３同士を厚み方向に重合させ得るように構成しているので、左右取り違えて壁面パネルＡ、Ｂの側縁同士が嵌らなくなるといった不都合を回避することができ、この点でも作業の円滑性を確保することが可能となる。
【００４３】
さらにまた、床Ｆに仮固定具５ａを介して下補助レール５を接着し、この下補助レール５に幅木レール６をパネル厚み方向へ移動しないように凹凸係合させており、床Ｆへのアンカー固定を行なわないようにしているので、大音量や振動の発生要因を有効に取り除いて、日中であっても短時間のうちに間仕切の施工を周囲の迷惑にならずに行うことを可能ならしめるものとなる。なお、必要であれば、施工完了後に適宜幅木レール６と床Ｆとの入り隅部に本固定具を配して幅木レール６をこの本固定具を介して床Ｆにアンカー固定するようにすればよい。この場合のアンカー固定は大音量や振動が発生する恐れがあるものの、この作業のみを休日や深夜に短時間で行なうことができるので、休日や深夜の作業量は従来に比して激減するものとなる。天井Ｃへのねじ７ａによるアンカー固定はスラブ材へのアンカー打ちではないため大音量や振動が問題となることは殆どない。
【００４４】
さらに、本実施形態の壁面パネルＡ、Ｂは、人造鉱物繊維からなるコア材１１の周囲を剛性のある面材１２で覆って構成されるものであり、壁面パネルＡ、Ｂが軽量で剛性を有することになるため、作業の便がより向上し、間仕切をこのような複数の壁面パネルＡ、Ｂからの組み合わせで構成しても間仕切としての耐用性を十分に備えるものとなる。
【００４５】
以上のように、本実施形態は下補助レール５を床Ｆに接着し、上補助レール７を天井Ｃに固定し、幅木レール６を敷設したら、後は壁面パネルＡ、Ｂを幅方向に順次追い込み、或いは高さ方向に嵌め合わせながら拡張していけるので、随時随所で必要な大きさの間仕切を簡単に施工することが可能となる。
【００４６】
また、端部以外の部位に位置する壁面パネルＡ、Ｂを幅方向に変位させて旋回させれば、両側に隣接する壁面パネルＡ、Ｂから離脱させて中抜きすることができるので、中央からの間仕切の分断や、一部の壁面パネルＡ、Ｂのみの交換作業も極めて簡単に行なうことが可能となり、施工後のレイアウト変更等に容易に対応することが可能となる。
【００４７】
なお、各部の具体的な構成は、上述した実施形態のみに限定されるものではなく、本発明の趣旨を逸脱しない範囲で種々変形が可能である。例えば、壁面パネルＡ、Ｂ間に、下縁に突起４１を有し上縁に溝３２を有する壁面パネルを介在させれば、３段以上に壁面パネルを積み上げて間仕切を構成することも可能となる。また、天井高さが種々異なる物件に対しては、壁面パネルを共通部品として用い、その積み上げ個数を増減させることで対応できるし、微妙な寸法違いに対してはスペーサ的な中間壁面パネルを用いれば調整は容易となる。さらに、天レールは、天井に密着させて取り付けられるものに限らず、中空に横架された梁に密着させて取り付けられるものも含まれる。また、上記実施形態では、幅木レールや天レールが各壁面パネルごとに割り付けられているが、複数の壁面パネルに対応する長さのものであっても構わない。さらにまた、壁面パネルの具体的な構造等も、図示実施形態に限定されるものではない。
【図面の簡単な説明】
【００４８】
【図１】本発明の一実施形態に係る間仕切を示す模式的な分解斜視図。
【図２】同実施形態における縦方向の壁面パネルの連結構造及び手順を示す図。
【図３】同実施形態における縦方向の壁面パネルの連結構造及び手順を示す図。
【図４】同実施形態における横方向の壁面パネルの連結構造及び手順を示す図。
【図５】同実施形態における縦方向の壁面パネルの連結構造及び手順を示す図。
【図６】同実施形態において壁面パネル間に適用された連結具部分を示す図。
【図７】同実施形態において壁面パネル間に連結具を適用するための構造及び手順を示す図。
【図８】同実施形態において中央の壁面パネルを中抜きするための構造及び手順を示す図。
【符号の説明】
【００４９】
Ａ…下部壁面パネル（最下段の壁面パネル）
Ｂ…上部壁面パネル（最上段の壁面パネル）
Ｃ…天井
Ｆ…床
Ｓ…隙間
Ｘ１、Ｘ３、Ｘ４…縦ガイド部（凹凸係合部）
Ｘ２…横ガイド部（凹凸係合部）
２…連結具
５…下補助レール
５ａ…仮固定具
６…幅木レール
７…上補助レール
８…天レール
１１…コア材
１２…面材
１３、１４…壁（前壁、後壁）
１５…凹部
１６…弾性体
４２…圧縮バネ
４３…ロッド
【図１】
0004780584.tif 000002
【図２】
0004780584.tif 000003
【図３】
0004780584.tif 000004
【図４】
0004780584.tif 000005
【図５】
0004780584.tif 000006
【図６】
0004780584.tif 000007
【図７】
0004780584.tif 000008
【図８】
0004780584.tif 000009